(57)【要約】【課題】本発明は傾倒防止コップを開示した。【解決手段】本発明は傾倒防止コップを公示し、本体を含み、前記本体の頂壁には上方に開口した水チャンバが設置され、前記本体の底壁には下方に開口した空チャンバが設置され、前記空チャンバと前記水チャンバの中には電磁石が固定的に設置され、前記電磁石と前記水チャンバとの間には浮球機構が設置され、前記電磁石の外側には手圧機構が設置され、前記電磁石の頂壁には前記電磁石と通電可能に連結された第一スイッチが固定的に設置され、本発明の傾倒防止コップは、素早い反応速度と強い吸着力を有し、傾倒防止効果が優れ、同時に、本発明の装置は安全で丈夫であり、簡単に操作できる。【選択図】図１
2020175159.tif 000002
【特許請求の範囲】
【請求項１】
正面視で、本体を含み、前記本体の頂壁には上方に開口した水チャンバが設置され、前記本体の底壁には下方に開口した空チャンバが設置され、前記空チャンバと前記水チャンバの中には電磁石が固定的に設置され、前記電磁石と前記水チャンバとの間には浮球機構が設置され、前記電磁石の外側には手圧機構が設置され、前記電磁石の頂壁には前記電磁石と通電可能に連結された第一スイッチが固定的に設置され、前記空チャンバの中には第一スライドブロックがスライド可能に設置され、前記第一スライドブロックの中には上下に貫通した第一スライド溝が設置され、前記第一スライドブロックの底面には吸盤が固定的に設置され、前記第一スライドブロックと前記空チャンバの頂壁とには第一ばねが連結されており、前記電磁石の底壁には前記第一スライド溝の中に伸びている管路が固定的に設置され、前記管路の中には上下に貫通した第二スライド溝が設置され、前記第二スライド溝の中には前記電磁石と吸引し合う永久磁石がスライド可能に設置され、前記永久磁石と前記電磁石の底面との間には第二ばねが連結され、前記空チャンバの左端壁には第三スライド溝が連通するように設置され、前記第三スライド溝の中には前記第一スライドブロックの右斜面と当接した台形ブロックがスライド可能に設置され、前記第三スライド溝の頂壁には第一復位溝が連通するように設置され、前記第一復位溝の中には前記台形ブロックと固定された第二スライドブロックがスライド可能に設置され、前記第二スライドブロックと前記第一復位溝の右端壁との間には第三ばねが連結され、前記第三スライド溝の底壁には下方に開口した第四スライド溝が連通するように設置され、前記第四スライド溝の中には前記台形ブロックの左斜面と当接した第一スライドロッドがスライド可能に設置され、前記第四スライド溝の左端壁には第二復位溝が連通するように設置され、前記第二復位溝の中には前記第一スライドロッドと固定された第三スライドブロックがスライド可能に設置され、前記第三スライドブロックと前記第二復位溝の底壁との間には第四ばねが連結され、前記第二復位溝の頂壁には前記第一スイッチと直列接続  された第二スイッチが固定的に設置され、前記空チャンバの右端壁には位置制限溝が設置され、前記位置制限溝の中には第一ラックがスライド可能に設置され、前記第一ラックと前記位置制限溝の頂壁との間には第五ばねが連結されており、前記位置制限溝の下側は前記空チャンバと連通しており、且つ前記位置制限溝の下側には線溝が設置され、前記吸盤と前記第一ラックとの間には鋼線が連結され、
以上により、前記第一スライドロッドが上に滑って前記台形ブロックを圧迫し、且つ前記第一スライドブロックを下に滑らせ、前記第一スライドブロックが前記吸盤にテーブルと接触させて密封の空きチャンバを形成し、そして、前記電磁石は前記永久磁石を吸引し、前記吸盤をテーブルにきつく吸着させ、前記第一ラックが上に滑り、前記鋼線を吸盤の一端を引っ張らせる時に、前記吸盤の一端は上げられ、密封の空きチャンバが形成できなくなり、吸着状態を解除することを特徴とする傾倒防止コップ。
【請求項２】
前記手圧機構は前記電磁石を含み、前記電磁石の外側端壁には外部に開口した環状空チャンバが設置され、前記環状空チャンバの左側には第一弓形ブロックがスライド可能に設置され、前記第一弓形ブロックと前記環状空チャンバの内壁との間には第六ばねが連結されており、前記電磁石の左端壁には前記電磁石と通電可能に連結された第三スイッチが固定的に設置され、前記第一弓形ブロックの右端面には前記第三スイッチと当接した第一押出ロッドが固定的に設置され、前記環状空チャンバの右側には第二弓形ブロックがスライド可能に設置され、前記第二弓形ブロックと前記環状空チャンバの内壁とには第七ばねが連結されており、前記位置制限溝の右端壁には前記環状空チャンバと連通したＬ型スライド溝が設置され、前記Ｌ型スライド溝の右側には前記第二弓形ブロックと固定された第二押出ロッドがスライド可能に設置され、前記Ｌ型スライド溝の底端には第二ラックがスライド可能に設置され、前記第二ラックと前記第二押出ロッドとの間には油圧作動油が設置されており、前記Ｌ型スライド溝と前記位置制限溝との間には回転チャンバが連通するように設置され、前記回転チャンバの中には回転軸が回転可能に設置され、前記回転軸には前記第一ラックと、前記第二ラックと噛み合った歯車が固定的に設置され、
以上により、前記第一押出ロッドが前記第三スイッチを圧迫し、前記電磁石の通電状態を停止させ、同時に前記第二押出ロッドは前記油圧作動油によって前記第二ラックを下に滑らせ、前記第二ラックは前記歯車によって前記第一ラックを上に滑らせ、前記吸盤とテーブルとの吸着状態を解除することを特徴とする請求項１に記載の傾倒防止コップ。
【請求項３】
前記浮球機構は前記第一スイッチを含み、前記第一スイッチの頂壁には上方に開口した第五スライド溝が設置され、前記第五スライド溝の中には前記水チャンバの中に伸びている第二スライドロッドがスライド可能に設置され、前記第二スライドロッドの頂端には浮球が固定的に設置され、前記第二スライドロッドと前記第一スイッチの頂面との間には第八ばねが連結されており、
以上により、前記水チャンバの中の水が前記浮球を浮かせ、前記浮球は前記第二スライドロッドを連動させ、前記第八ばねは前記第二スライドロッドによって伸びられ、前記第八ばねは前記第一スイッチを引き動かし、前記第二スイッチを通電させることを特徴とする請求項１に記載の傾倒防止コップ。
【発明の詳細な説明】
【技術分野】
【０００１】
本発明はコップ分野を取り上げ、具体的には傾倒防止コップである。
【背景技術】
【０００２】
人々が既存するコップを利用する時に、コップ本体の高さが高めであり、そして、コップ底面とテーブルとの接触面積が小さめであるため、外力によって簡単に傾倒してしまう。また、一般的な吸盤式コップは置く時にコップを押さえつけなければならなく、水を飲む時にも、余分の力を入れて吸盤をテーブルから離脱させる必要があり、不便だけでなく、力が入れすぎるとこぼれを招き、コップ自身にも損傷を与える。そのため、傾倒防止コップを設計し、上記の問題を解決する必要がある。
【先行技術文献】
【特許文献】
【０００３】
【特許文献１】中国特許出願公開第109419273号明細書
【発明の概要】
【発明が解決しようとする課題】
【０００４】
本発明は傾倒防止コップを提供し、既存技術にある上記の欠点を解消することを目的とする。
【課題を解決するための手段】
【０００５】
本発明は以下の技術プランを通じて実現する：本発明の傾倒防止コップは、本体を含み、前記本体の頂壁には上方に開口した水チャンバが設置され、前記本体の底壁には下方に開口した空チャンバが設置され、前記空チャンバと前記水チャンバの中には電磁石が固定的に設置され、前記電磁石と前記水チャンバとの間には浮球機構が設置され、前記電磁石の外側には手圧機構が設置され、前記電磁石の頂壁には前記電磁石と通電可能に連結された第一スイッチが固定的に設置され、前記空チャンバの中には第一スライドブロックがスライド可能に設置され、前記第一スライドブロックの中には上下に貫通した第一スライド溝が設置され、前記第一スライドブロックの底面には吸盤が固定的に設置され、前記第一スライドブロックと前記空チャンバの頂壁とには第一ばねが連結されており、前記電磁石の底壁には前記第一スライド溝の中に伸びている管路が固定的に設置され、前記管路の中には上下に貫通した第二スライド溝が設置され、前記第二スライド溝の中には前記電磁石と吸引し合う永久磁石がスライド可能に設置され、前記永久磁石と前記電磁石の底面との間には第二ばねが連結され、前記空チャンバの左端壁には第三スライド溝が連通するように設置され、前記第三スライド溝の中には前記第一スライドブロックの右斜面と当接した台形ブロックがスライド可能に設置され、前記第三スライド溝の頂壁には第一復位溝が連通するように設置され、前記第一復位溝の中には前記台形ブロックと固定された第二スライドブロックがスライド可能に設置され、前記第二スライドブロックと前記第一復位溝の右端壁との間には第三ばねが連結され、前記第三スライド溝の底壁には下方に開口した第四スライド溝が連通するように設置され、前記第四スライド溝の中には前記台形ブロックの左斜面と当接した第一スライドロッドがスライド可能に設置され、前記第四スライド溝の左端壁には第二復位溝が連通するように設置され、前記第二復位溝の中には前記第一スライドロッドと固定された第三スライドブロックがスライド可能に設置され、前記第三スライドブロックと前記第二復位溝の底壁との間には第四ばねが連結され、前記第二復位溝の頂壁には前記第一スイッチと直列接続  された第二スイッチが固定的に設置され、前記空チャンバの右端壁には位置制限溝が設置され、前記位置制限溝の中には第一ラックがスライド可能に設置され、前記第一ラックと前記位置制限溝の頂壁との間には第五ばねが連結されており、前記位置制限溝の下側は前記空チャンバと連通しており、且つ前記位置制限溝の下側には線溝が設置され、前記吸盤と前記第一ラックとの間には鋼線が連結され、
以上により、前記第一スライドロッドが上に滑って前記台形ブロックを圧迫し、且つ前記第一スライドブロックを下に滑らせ、前記第一スライドブロックが前記吸盤にテーブルと接触させて密封の空きチャンバを形成し、そして、前記電磁石は前記永久磁石を吸引し、前記吸盤をテーブルにきつく吸着させ、前記第一ラックが上に滑り、前記鋼線を吸盤の一端を引っ張らせる時に、前記吸盤の一端は上げられ、密封の空きチャンバが形成できなくなり、吸着状態を解除する。
【０００６】
好ましくは、前記手圧機構は前記電磁石を含み、前記電磁石の外側端壁には外部に開口した環状空チャンバが設置され、前記環状空チャンバの左側には第一弓形ブロックがスライド可能に設置され、前記第一弓形ブロックと前記環状空チャンバの内壁との間には第六ばねが連結されており、前記電磁石の左端壁には前記電磁石と通電可能に連結された第三スイッチが固定的に設置され、前記第一弓形ブロックの右端面には前記第三スイッチと当接した第一押出ロッドが固定的に設置され、前記環状空チャンバの右側には第二弓形ブロックがスライド可能に設置され、前記第二弓形ブロックと前記環状空チャンバの内壁とには第七ばねが連結されており、前記位置制限溝の右端壁には前記環状空チャンバと連通したＬ型スライド溝が設置され、前記Ｌ型スライド溝の右側には前記第二弓形ブロックと固定された第二押出ロッドがスライド可能に設置され、前記Ｌ型スライド溝の底端には第二ラックがスライド可能に設置され、前記第二ラックと前記第二押出ロッドとの間には油圧作動油が設置されており、前記Ｌ型スライド溝と前記位置制限溝との間には回転チャンバが連通するように設置され、前記回転チャンバの中には回転軸が回転可能に設置され、前記回転軸には前記第一ラックと、前記第二ラックと噛み合った歯車が固定的に設置され、
以上により、前記第一押出ロッドが前記第三スイッチを圧迫し、前記電磁石の通電状態を停止させ、同時に前記第二押出ロッドは前記油圧作動油によって前記第二ラックを下に滑らせ、前記第二ラックは前記歯車によって前記第一ラックを上に滑らせ、前記吸盤とテーブルとの吸着状態を解除する。
【０００７】
好ましくは、前記浮球機構は前記第一スイッチを含み、前記第一スイッチの頂壁には上方に開口した第五スライド溝が設置され、前記第五スライド溝の中には前記水チャンバの中に伸びている第二スライドロッドがスライド可能に設置され、前記第二スライドロッドの頂端には浮球が固定的に設置され、前記第二スライドロッドと前記第一スイッチの頂面との間には第八ばねが連結されており、
以上により、前記水チャンバの中の水が前記浮球を浮かせ、前記浮球は前記第二スライドロッドを連動させ、前記第八ばねは前記第二スライドロッドによって伸びられ、前記第八ばねは前記第一スイッチを引き動かし、前記第二スイッチを通電させる。
【発明の効果】
【０００８】
要約すると、本発明の傾倒防止コップは、素早い反応速度と強い吸着力を有し、傾倒防止効果が優れ、同時に、本発明の装置は安全で丈夫であり、簡単に操作できる。
【図面の簡単な説明】
【０００９】
下記に図１〜４を交え、本発明について詳しく説明し、また、わかりやすく説明できるよう、ここで下記の方位に規定する：図１は本発明装置の正面図であり、以下に述べる上下左右前後の方向と図１の自身投影関係の上下左右前後の方向とが一致である。
【００１０】
【図１】図１は本発明である傾倒防止コップの全体構成略図
【図２】図２は図１におけるＡ―Ａの構成略図
【図３】図３は図１におけるＢの拡大構造略図
【図４】図４は図１におけるＣの拡大構造略図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
図１〜４が示したよう、本発明の傾倒防止コップは、本体６０を含み、前記本体６０の頂壁には上方に開口した水チャンバ１１が設置され、前記本体６０の底壁には下方に開口した空チャンバ２８が設置され、前記空チャンバ２８と前記水チャンバ１１の中には電磁石１６が固定的に設置され、前記電磁石１６と前記水チャンバ１１との間には浮球機構９１が設置され、前記電磁石１６の外側には手圧機構９０が設置され、前記電磁石１６の頂壁には前記電磁石１６と通電可能に連結された第一スイッチ１５が固定的に設置され、前記空チャンバ２８の中には第一スライドブロック２４がスライド可能に設置され、前記第一スライドブロック２４の中には上下に貫通した第一スライド溝２７が設置され、前記第一スライドブロック２４の底面には吸盤２９が固定的に設置され、前記第一スライドブロック２４と前記空チャンバ２８の頂壁とには第一ばね２３が連結されており、前記電磁石１６の底壁には前記第一スライド溝２７の中に伸びている管路２１が固定的に設置され、前記管路２１の中には上下に貫通した第二スライド溝２６が設置され、前記第二スライド溝２６の中には前記電磁石１６と吸引し合う永久磁石２５がスライド可能に設置され、前記永久磁石２５と前記電磁石１６の底面との間には第二ばね２２が連結され、前記空チャンバ２８の左端壁には第三スライド溝３９が連通するように設置され、前記第三スライド溝３９の中には前記第一スライドブロック２４の右斜面と当接した台形ブロック３８がスライド可能に設置され、前記第三スライド溝３９の頂壁には第一復位溝３５が連通するように設置され、前記第一復位溝３５の中には前記台形ブロック３８と固定された第二スライドブロック３６がスライド可能に設置され、前記第二スライドブロック３６と前記第一復位溝３５の右端壁との間には第三ばね３７が連結され、前記第三スライド溝３９の底壁には下方に開口した第四スライド溝５８が連通するように設置され、前記第四スライド溝５８の中には前記台形ブロック３８の左斜面と当接した第一スライドロッド４０がスライド可能に設置され、前記第四スライド溝５８の左端壁には第二復位溝４２が連通するように設置され、前記第二復位溝４２の中には前記第一スライドロッド４０と固定された第三スライドブロック４３がスライド可能に設置され、前記第三スライドブロック４３と前記第二復位溝４２の底壁との間には第四ばね４４が連結され、前記第二復位溝４２の頂壁には前記第一スイッチ１５と直列接続  された第二スイッチ４１が固定的に設置され、前記空チャンバ２８の右端壁には位置制限溝５１が設置され、前記位置制限溝５１の中には第一ラック４７がスライド可能に設置され、前記第一ラック４７と前記位置制限溝５１の頂壁との間には第五ばね４５が連結されており、前記位置制限溝５１の下側は前記空チャンバ２８と連通しており、且つ前記位置制限溝５１の下側には線溝５０が設置され、前記吸盤２９と前記第一ラック４７との間には鋼線４９が連結され、
以上により、前記第一スライドロッド４０が上に滑って前記台形ブロック３８を圧迫し、且つ前記第一スライドブロック２４を下に滑らせ、前記第一スライドブロック２４が前記吸盤２９にテーブルと接触させて密封の空きチャンバを形成し、そして、前記電磁石１６は前記永久磁石２５を吸引し、前記吸盤２９をテーブルにきつく吸着させ、前記第一ラック４７が上に滑り、前記鋼線４９を吸盤２９の一端を引っ張らせる時に、前記吸盤の一端は上げられ、密封の空きチャンバが形成できなくなり、吸着状態を解除する。
【００１３】
好ましくは、前記手圧機構９０は前記電磁石１６を含み、前記電磁石１６の外側端壁には外部に開口した環状空チャンバ３１が設置され、前記環状空チャンバ３１の左側には第一弓形ブロック３４がスライド可能に設置され、前記第一弓形ブロック３４と前記環状空チャンバ３１の内壁との間には第六ばね３２が連結されており、前記電磁石１６の左端壁には前記電磁石１６と通電可能に連結された第三スイッチ３０が固定的に設置され、前記第一弓形ブロック３４の右端面には前記第三スイッチ３０と当接した第一押出ロッド３３が固定的に設置され、前記環状空チャンバ３１の右側には第二弓形ブロック１７がスライド可能に設置され、前記第二弓形ブロック１７と前記環状空チャンバ３１の内壁とには第七ばね１９が連結されており、前記位置制限溝５１の右端壁には前記環状空チャンバ３１と連通したＬ型スライド溝５２が設置され、前記Ｌ型スライド溝５２の右側には前記第二弓形ブロック１７と固定された第二押出ロッド１８がスライド可能に設置され、前記Ｌ型スライド溝５２の底端には第二ラック５４がスライド可能に設置され、前記第二ラック５４と前記第二押出ロッド１８との間には油圧作動油２０が設置されており、前記Ｌ型スライド溝５２と前記位置制限溝５１との間には回転チャンバ５７が連通するように設置され、前記回転チャンバ５７の中には回転軸５５が回転可能に設置され、前記回転軸５５には前記第一ラック４７と、前記第二ラック５４と噛み合った歯車５６が固定的に設置され、
以上により、前記第一押出ロッド３３が前記第三スイッチ３０を圧迫し、前記電磁石１６の通電状態を停止させ、同時に前記第二押出ロッド１８は前記油圧作動油２０によって前記第二ラック５４を下に滑らせ、前記第二ラック５４は前記歯車５６によって前記第一ラック４７を上に滑らせ、前記吸盤２９とテーブルとの吸着状態を解除する。
【００１４】
好ましくは、前記浮球機構９１は前記第一スイッチ１５を含み、前記第一スイッチ１５の頂壁には上方に開口した第五スライド溝１３が設置され、前記第五スライド溝１３の中には前記水チャンバ１１の中に伸びている第二スライドロッド１２がスライド可能に設置され、前記第二スライドロッド１２の頂端には浮球１０が固定的に設置され、前記第二スライドロッド１２と前記第一スイッチ１５の頂面との間には第八ばね１４が連結されており、
以上により、前記水チャンバ１１の中の水が前記浮球１０を浮かせ、前記浮球１０は前記第二スライドロッド１２を連動させ、前記第八ばね１４は前記第二スライドロッド１２によって伸びられ、前記第八ばね１４は前記第一スイッチ１５を引き動かし、前記第二スイッチ４１を通電させる。  
【００１５】
下記に、附図と上記した本願の傾倒防止コップの具体的構成を交え、本装置の使用方法について詳しく説明する：
【００１６】
前記水チャンバ１１が水に満ち、また、本体６０をテーブルに置いた後、前記浮球１０は前記第八ばね１４に前記第一スイッチ１５を引き動かし、前記第二スイッチ４１を通電させ、同時にテーブルは前記第一スライドロッド４０を圧迫し、前記第一スライドロッド４０が上に滑り、前記台形ブロック３８を圧迫し、且つ前記第一スライドブロック２４を下に滑らせ、前記第一スライドブロック２４は前記吸盤２９をテーブルに吸着させ、且つ前記第一スライド溝２７と前記第二スライド溝２６との間に密封空間を形成させ、そして、前記電磁石１６は前記永久磁石２５を吸引し、前記吸盤２９をきつくテーブルに吸着させる。
【００１７】
水を飲む時に、手で本体６０を取った後、前記第一弓形ブロック１７は圧迫されて前記第一押出ロッド３３を連動させ、前記第一押出ロッド３３が前記第三スイッチ３０を圧迫し、前記電磁石１６の通電状態を止め、同時に前記第二弓形ブロック１７は前記第二押出ロッド１８を連動させ、前記第二押出ロッド１８は前記油圧作動油２０によって前記第二ラック５４を下に滑らせ、前記第二ラック５４は前記歯車５６によって前記第一ラック４７を上に滑らせ、すなわち、前記鋼線４９は前記吸盤の一端を引っ張り上げ、前記吸盤２９の一端が上げられた後、内部は真空状態でなくなり、この時装置は吸着状態から離脱し、簡単に水を飲め、操作が簡単である。
【００１８】
要約すると、本発明の傾倒防止コップは、素早い反応速度と強い吸着力を有し、傾倒防止効果が優れ、同時に、本発明の装置は安全で丈夫であり、簡単に操作できる。
【００１９】
以上に述べたのはただ本発明の具体的な実施方式であり、本発明の保護範囲は以上の内容に限らず、すべての創造的な労働を通じず思いつきの改動と取替は本発明の保護範囲にカバーされるべき。よって、本発明の保護範囲は権利要求書が限定された保護範囲を標準とすべきである。
【図１】
2020175159.tif 000003
【図２】
2020175159.tif 000004
【図３】
2020175159.tif 000005
【図４】
2020175159.tif 000006